(57)【要約】【課題】  描画作業の上で、室内のいずれにおいても絵の具やその他の材料等の出し入れに際して、その取り扱いが、楽に、果たされるようにする。  種類の多い絵の具が、一括して収納され、制作の場において、絵の具一式が、常に、扱い易く整理整頓されるように出入庫、収納箇所が確保される事と共に移動可能なる便利な状態を保つようにする。【解決手段】  本発明において、上記目的を達成するために、絵の具チューブ箱収納可能なる脚車付き絵の具棚が、括り鉤を使用することによって、脚車付き材料等小物収納引き違い戸式袋棚との連結一体型を形成しながら、常に、切り離し自由自在の状態も保てる。  そして、必要に応じては、間仕切り付き絵の具チューブ箱両側前面板に絵の具の色彩呼称をラベルなどで表示することも可能である。【選択図】図１
2009214529.tif 000002
【特許請求の範囲】
【請求項１】
油彩画、水彩画等の制作実施の際の制作補助用具において、チューブ絵の具使用の際、多数、絵の具チューブ収納が可能な絵の具棚と、作品制作に関わる絵画材料及び用具等の諸々を、手軽に、収納可能な引き違い戸式袋棚が、両方の棚の各側面部分において、取付けられた金属性括り鉤によって、小型の袋棚が付属的に大型の絵の具棚に対して連結可能、切り離し可能の自在型となる。
また、脚車によって両方の棚の移動を可能にし、室内いずれの場所においても、括り鉤を使用して大小両棚を連結することにより、大型の絵の具棚が安定した独立状態を保ち、立てて置けることによって、絵の具棚においては、特に、棚の表側、裏側を問わず、両方向からの絵具の取り扱いが容易であることを特徴とする棚である。
【発明の詳細な説明】
【産業上の利用分野】
【０００１】  本発明は、油彩画や水彩画等の制作に係る場合、描画作業及び描画準備、、後片付け等に関わって、絵画材料等の諸々や、絵の具チューブを、主に、手軽に、出し入れするために、絵の具チューブに合せた間仕切り付き小箱が室内等の独立空間あるいは、壁面や柱等の垂直面に沿って安置可能なる収納棚に関するものである。
【０００２】  この棚は、比較的横長大型裏板無しの平たい絵の具チューブ箱収納棚と、絵画材料等小物入れとなる比較的小型の引き違戸仕様袋棚が、金属性括り鉤によって、自由自在に鉤の括り止めと括り外しでもって、連結と切り離しの利く臨機応変一体型で組み合さる棚に関するものである。
【背景技術】
【０００３】  従来から、店頭陳列のための絵の具チューブショーケースとして業務用に裏板の付いた絵の具メーカー宣伝用の絵の具棚は、あったが、実際の画家の都合に合わせた何種類にも及ぶ絵の具の種類が一挙に収納され、しかも、その収納された絵の具チューブが、棚の表側、裏側を問わず、両方向から取り出しを可能とする構造、形態ではなかった。そして、店頭に設置される絵の具チューブ棚の形態は、壁面固定設置型で、棚の奥行きは浅いため、縦置き型のものは殊更、耐震性が悪く、壁面等に留め付部品で取り付けないと不安定であった。
【発明の開示】
【発明が解決しようとする課題】
【０００４】  描画作業の上で、室内のいずれにおいても絵の具やその他の材料等の出し入れに際して、その取り扱いが、楽に、果たされるようにする。【０００５】  種類の多い絵の具が、一括して収納され、制作場において、絵の具一式が扱い易い箇所に、常に、移動可能なる便利な状態を保つようにする。
【課題を解決するための手段】
【０００６】  本発明は、上記いずれの課題も果たされるべく、以下に列記する作用、利用効果等を伴った実施例を図によって示されることで明らかとなる。
ついては、図１、図２、図１０等で示されるように、絵の具チューブ箱１２収納可能なる脚車８乃至８ｃ付き絵の具棚が、括り鉤５，６を使用することによって、脚車９乃至９ｃ付き材料等小物収納引き違い戸４，４ａ式袋棚との連結一体型を形成しながら、常に、切り離し自由自在の状態が保てる。
そして、必要に応じては、間仕切り１１付き絵の具チューブ箱１２両側前面板に絵の具の色彩呼称をラベルなどで表示することも可能である。
【実施例】
【０００７】  絵の具棚天板部分１には丸型のもの、例えば鉛筆等が、転がり落ちないように一層の高さを枠付けして構成される。【０００８】  図２、図３で示されるように絵具箱１２が余るような絵の具１３の数の時は、箱１２が積み重ねられて、棚１０乃至１０ｆに収納される。【０００９】  袋棚４乃至４ａの高さや天板の縁周りについては、作品制作の態勢が床面に着座であろうと、腰かけに着席して制作していようと、いずれも天板に目が利く高さで、しかも天板縁周り部分には、鉛筆などの丸型のものが天板から転がり落ちないように、縁周りに一層の高さを付けて物の取り扱いが便利な状態にしてある。
【発明の効果】
【００１０】  図２、図３、図４で示されるように、絵の具棚天板や各段の棚板の空間の設け方は、大人の手が、絵具箱１２を掴む時や、箱の奥手に仕舞われている絵の具チューブを取り出す時等に天板１が低過ぎず、手が入りやすいので、とても便利である。
【００１１】  また、絵具チューブを絵具箱に終った後、さらに絵具箱が、絵具棚に不揃いの様子に、収納されては整理整頓が、芳しくないので、これを手早く、常に、一定の整列状態で、絵具箱前面が一直線上に整列して収納状態が保たれるように、絵具棚一端部分において天板同様の縁周り１０乃至１０ｆを一段高く設け、その一段高く施された縁留め部分１０乃至１０ｆに絵具箱１２前板面下部が、当たって自ずと全ての絵具箱の前板面が各段の棚上において、一列をなして整列となるように工夫されている。
各段の棚の一方の端部のみに高さ１０乃至１０ｆが設けられているために、わざわざ、絵具箱を指先で掴んで、箱を持ち上げなくても、棚板の上で、縁の段高を気にすることなく、箱１２を指先で、引き滑らせたり、押し滑らせながら、絵具箱１２の出し入れが、自由となることも可能にしているので、体裁ばかりに囚われず、かなり実用的である。
【発明を実施するための最良の形態】
【００１２】  耐震性を考慮すれば、図１で示されるように、一体型に組み合わせた両方の棚（図２と図１０で示される）で据え置くようにするのも一つであり、また、図２で示される絵の具棚と図１０で示される袋棚は分離された状態にあり、これらの両棚をそれぞれ壁に、固定しながら縦置くのも使い勝手としては良い。
【図面の簡単な説明】
【００１３】
【図１】本発明に係る絵の具棚と袋棚を一体型に組合せた斜視図である。
【図２】同絵の具棚正面図である。
【図３】同絵の具棚天板部及び上段部を見た拡大斜視図である。
【図４】同絵の具棚中段部を見た拡大斜視図である。
【図５】同絵の具棚側面部と袋棚側面部に取付けられた金属性括り鉤部分が掛っている状態を見た拡大斜視図である。
【図６】同絵の具棚下段部を見た拡大斜視図である。
【図７】同袋棚側面部に取付けられた金属性括り鉤を見た拡大斜視図である。
【図８】同絵の具棚側面部に取付けられた金属性括り鉤を見た拡大斜視図である。
【図９】同袋棚底板に取付けられた脚車を見た拡大斜視図である。
【図１０】同袋棚を見た斜視図である。
【符号の説明】
【００１４】１，絵の具棚における天板部分の縁周り
２，袋棚における天板部分の縁周り
３，絵の具棚の棚板部分
４，袋棚における引き違い戸
５，絵の具棚に取付けられた括り鉤部品
６，袋棚に取付けられた括り鉤部品
７，絵の具箱前板部分
８，絵の具棚に取付けられた脚車
９，袋棚に取付けられた脚車
１０，乃至１０ｆ  各段における棚板の縁留め
１１，絵の具箱内部間仕切り部分
１２，絵の具箱
１３  絵の具チューブ
【図１】
2009214529.tif 000003
【図２】
2009214529.tif 000004
【図３】
2009214529.tif 000005
【図４】
2009214529.tif 000006
【図５】
2009214529.tif 000007
【図６】
2009214529.tif 000008
【図７】
2009214529.tif 000009
【図８】
2009214529.tif 000010
【図９】
2009214529.tif 000011
【図１０】
2009214529.tif 000012